(57)【要約】【課題】  本発明は、隙間を空けて厚肉ラベルが円筒状胴部に巻き付けられたラベル付き包装体であって、円筒状胴部の中心軸周りに円滑に回転しうるラベル付き包装体を提供する。【解決手段】  本発明のラベル付き包装体１は、筒状胴部２１を有する被着体２と、第１側縁３Ａ及び第２側縁３Ｂを有し且つ筒状胴部２１の周囲に巻付けて接着された厚肉ラベル３と、を備え、厚肉ラベル３が、第１側縁３Ａと第２側縁３Ｂの間に隙間９を空けて巻き付けられており、厚肉ラベル３の第１側縁３Ａが、筒状胴部２１の周方向一方側Ｘへ最も偏っている第１偏り縁部３ＡＸを有し、厚肉シートの第２側縁３Ｂが、筒状胴部２１の周方向他方側Ｙへ最も偏った第２偏り縁部３ＢＹを有し、第１偏り縁部３ＡＸ上を通り且つ筒状胴部２１の外面における縦方向と平行な仮想縦線Ｔを引いたときに、第２偏り縁部３ＢＹが、仮想縦線Ｔよりも周方向他方側Ｙに位置している。【選択図】  図１
2012201403.tif 000002
【特許請求の範囲】
【請求項１】
筒状胴部を有する被着体と、第１側縁及び第２側縁を有し且つ前記第１側縁と第２側縁を向かい合わせるようにして前記被着体の筒状胴部の周囲に巻付けて接着された厚肉ラベルと、を備え、
前記厚肉ラベルが、前記第１側縁と第２側縁の間に隙間を空けて巻き付けられており、
前記厚肉ラベルの第１側縁が、前記筒状胴部の周方向一方側へ最も偏っている第１偏り縁部を有し、
前記厚肉シートの第２側縁が、前記筒状胴部の周方向他方側へ最も偏った第２偏り縁部を有し、
前記第１偏り縁部上を通り且つ前記筒状胴部の外面における縦方向と平行な仮想縦線を引いたときに、前記第２偏り縁部が、前記仮想縦線上に位置している又は前記仮想縦線よりも周方向他方側に位置している、ことを特徴とするラベル付き包装体。
【請求項２】
前記厚肉ラベルの外面に、厚肉ラベルよりも薄い薄肉フィルムが設けられており、
前記薄肉フィルムが、前記厚肉ラベルの第１側縁よりも周方向一方側へ延出された延出片を有し、
前記延出片が、前記隙間を覆っていると共に、その端部が前記厚肉ラベルの第２側縁を越えて厚肉ラベルの第２側部の外面に接着されている、請求項１に記載のラベル付き包装体。
【請求項３】
前記薄肉フィルムのうち、少なくとも前記隙間を覆っている部分の全部又は一部が透明である、請求項２に記載のラベル付き包装体。
【請求項４】
被着体に巻き付ける前の前記厚肉ラベルの平面視形状が、平行四辺形である、請求項１〜３のいずれか一項に記載のラベル付き包装体。
【請求項５】
円筒状胴部を有する被着体と、第１側縁及び第２側縁を有し且つ前記第１側縁と第２側縁を向かい合わせるようにして前記被着体の円筒状胴部の周囲に巻付けて接着された厚肉ラベルと、を備え、
前記厚肉ラベルが、前記第１側縁と第２側縁の間に隙間を空けて巻き付けられており、
前記円筒状胴部の中心軸方向から見たときの前記厚肉ラベルの外面の輪郭が、円形である、ことを特徴とするラベル付き包装体。
【発明の詳細な説明】
【技術分野】
【０００１】
本発明は、被着体の周囲に厚肉ラベルが巻付け装着されたラベル付き包装体に関する。
【背景技術】
【０００２】
従来、バイアル瓶、アンプルなどの医療用容器、ガラス瓶などの食品用容器のような各種の被着体の周囲にラベルが巻き付けられた、ラベル付き包装体が知られている。
例えば、特許文献１には、内面に粘着剤が設けられた平面視矩形状（長方形状）の巻付けラベルを、その第１側部を容器の円筒状胴部に接着し、そのラベルを前記円筒状胴部に巻き付けた後、ラベルの第２側部を前記第１側部の上に接着することにより得られる、ラベル付き包装体が開示されている。
【０００３】
ところで、医療用容器などのガラス製や陶器製の容器は、異物と接触することによってヒビが入ったり、欠けたり、或いは、割れることがある。このため、巻付けラベルの基材として、発泡樹脂シートのような比較的厚肉の基材が用いられる場合がある。
厚肉基材を用いた厚肉ラベルを容器に巻付ける場合、そのラベルの第１側部の上に第２側部を重ねて接着すると、その重ね合わせ部分が非常に分厚くなる。
このような分厚い重ね合わせ部分においては、大きな段差が生じているので、その厚肉ラベルの上から容器を手で握ったときの感触が悪い上、爪などが段差に引っ掛かり易いという問題点がある。
さらに、前記分厚い重ね合わせ部分を有する容器は、その部分が円筒状胴部の径外方向に突出しているので、円滑に回転しないという問題点もある。
円滑に回転しない容器は、例えば、機械的生産過程で、次のような不都合を生じる。
すなわち、円筒状胴部を有する容器は、生産ラインの搬送コンベアにおいて、横に寝かせて転がしながら搬送されることがある。上記厚肉ラベルが胴部に巻付けられたラベル付き包装体も、回転させながら搬送され、検品、箱詰めなどに供される。このため、厚肉ラベルを巻き付けた後も、円滑に回転しうるラベル付き包装体が求められる。
【０００４】
このような諸点に鑑みて、平面視矩形状の厚肉ラベルの第１側縁（第１側部の縁）と第２側縁（第２側部の縁）を突き合わせるようにして、厚肉ラベルを円筒状胴部に巻き付けて接着することが考えられる。
しかしながら、厚肉ラベルを巻き付ける際には、基材が伸びたり或いは巻付け方向が少しずれたりするので、前記第１側縁と第２側縁がピッタリと突き合ったラベル付き包装体を機械的に量産することは困難である。
【０００５】
そのため、一般的には、図１３に示すように、厚肉ラベル３０は、その第１側縁３０Ａと第２側縁３０Ｂの間に隙間９０を残すようにして円筒状胴部２１０の外面に巻き付けられる。隙間９０を空けて巻付けるように設計された厚肉ラベル３０を用いれば、巻付け時に基材の伸びや巻きずれを生じても、側部が重ならないラベル付き包装体を確実に生産できる。
しかしながら、かかるラベル付き包装体は、隙間９０が円筒状胴部２１０の縦方向に真っ直ぐ延びているので（第１側縁３０Ａと第２側縁３０Ｂが縦方向に真っ直ぐ延びているので）、厚肉ラベル３０の上から円筒状胴部２１０を握ったときに、手の平やその他の物などが隙間から露出する胴部２１０の外面に接触し易い。胴部２１０に手が接触すると、厚肉ラベルを巻き付けた意義が減殺される。
さらに、上記のように隙間９０を空けて巻き付けた場合には、第１側縁３０Ａにおける外側角部３０１及び／又は第２側縁３０Ｂにおける外側角部３０２が搬送ラインの平坦面上に接したときにラベル付き包装体の回転が規制される。特に、図１３（ｂ）に示すように、前記隙間９０における円筒状胴部２１０の外面部が平坦面Ｆに接する又は近接するほどに前記第１側縁３０Ａと第２側縁３０Ｂが離反していると、そのラベル付き包装体は回転し難くなる。
【先行技術文献】
【特許文献】
【０００６】
【特許文献１】特開２００８−２２９９２６号公報
【発明の概要】
【発明が解決しようとする課題】
【０００７】
本発明の目的は、隙間を空けて厚肉ラベルが筒状胴部に巻き付けられたラベル付き包装体であって、隙間から筒状胴部の外面に手などが接触し難く、さらに、筒状胴部の中心軸周りに円滑に回転しうるラベル付き包装体を提供することである。
【課題を解決するための手段】
【０００８】
本発明のラベル付き包装体は、筒状胴部を有する被着体と、第１側縁及び第２側縁を有し且つ前記第１側縁と第２側縁を向かい合わせるようにして前記被着体の筒状胴部の周囲に巻付けて接着された厚肉ラベルと、を備え、前記厚肉ラベルが、前記第１側縁と第２側縁の間に隙間を空けて巻き付けられており、前記厚肉ラベルの第１側縁が、前記筒状胴部の周方向一方側へ最も偏っている第１偏り縁部を有し、前記厚肉シートの第２側縁が、前記筒状胴部の周方向他方側へ最も偏った第２偏り縁部を有し、前記第１偏り縁部上を通り且つ前記筒状胴部の外面における縦方向と平行な仮想縦線を引いたときに、前記第２偏り縁部が、前記仮想縦線上に位置している又は前記仮想縦線よりも周方向他方側に位置している。
【０００９】
本発明の好ましいラベル付き包装体は、前記厚肉ラベルの外面に、厚肉ラベルよりも薄い薄肉フィルムが設けられており、前記薄肉フィルムが、前記厚肉ラベルの第１側縁よりも周方向一方側へ延出された延出片を有し、前記延出片が、前記隙間を覆っていると共に、その端部が前記厚肉ラベルの第２側縁を越えて厚肉ラベルの第２側部の外面に接着されている。
【００１０】
本発明の他の好ましいラベル付き包装体は、前記薄肉フィルムのうち、少なくとも前記隙間を覆っている部分の全部又は一部が透明である。
本発明の他の好ましいラベル付き包装体は、被着体に巻き付ける前の前記厚肉ラベルの平面視形状が、平行四辺形である。
【００１１】
また、本発明のラベル付き包装体は、円筒状胴部を有する被着体と、第１側縁及び第２側縁を有し且つ前記第１側縁と第２側縁を向かい合わせるようにして前記被着体の円筒状胴部の周囲に巻付けて接着された厚肉ラベルと、を備え、前記厚肉ラベルが、前記第１側縁と第２側縁の間に隙間を空けて巻き付けられており、前記円筒状胴部の中心軸方向から見たときの前記厚肉ラベルの外面の輪郭が、円形である。
【発明の効果】
【００１２】
本発明のラベル付き包装体は、厚肉ラベルの上から筒状胴部を握ったときに、手の平などが隙間から露出する胴部の外面に接触し難い。
さらに、本発明のラベル付き包装体は、それを平坦面上に横に寝かした状態で、筒状胴部の中心軸周りに円滑に回転し得る。本発明によれば、例えば、生産ラインの搬送コンベアにおいて円滑に転動させながら搬送できるラベル付き包装体を提供できる。
また、本発明の好ましいラベル付き包装体は、筒状胴部への衝撃を緩和でき、前記筒状胴部の傷付きなどを防止できる。
さらに、本発明の他の好ましいラベル付き包装体は、筒状胴部に収納された収納物を視認することができる。
【図面の簡単な説明】
【００１３】
【図１】第１実施形態に係るラベル付き包装体の正面図。
【図２】同包装体を円筒状胴部の中心軸方向から見た上面図。
【図３】図１のＩＩＩ−ＩＩＩ線断面図。
【図４】第１実施形態に係る厚肉ラベルを内面側から見た平面図。
【図５】図４のＶ−Ｖ線断面図。
【図６】第１実施形態の１つの変形例を示し、（ａ）は、その変形例に係る厚肉ラベルの平面図、（ｂ）は、その変形例に係るラベル付き包装体の正面図、（ｃ）は、同包装体を円筒状胴部の中心軸方向から見た上面図。
【図７】第１実施形態の他の変形例を示し、（ａ）は、その変形例に係る厚肉ラベルの平面図、（ｂ）は、その変形例に係るラベル付き包装体の正面図、（ｃ）は、同包装体を円筒状胴部の中心軸方向から見た上面図。
【図８】第１実施形態の更なる他の変形例を示し、（ａ）は、その変形例に係る厚肉ラベルの平面図、（ｂ）は、その変形例に係るラベル付き包装体の正面図、（ｃ）は、同包装体を円筒状胴部の中心軸方向から見た上面図。
【図９】第２実施形態に係る厚肉ラベルを内面側から見た平面図。
【図１０】図９のＸ−Ｘ線断面図。
【図１１】第２実施形態に係るラベル付き包装体の正面図。
【図１２】図１１のＸＩＩ−ＸＩＩ線で切断した拡大端面図。
【図１３】従来のラベル付き包装体を示し、（ａ）は、その正面図、（ｂ）は、それを円筒状胴部の中心軸方向から見た上面図。
【発明を実施するための形態】
【００１４】
図１乃至図３に示すように、本発明の１つのラベル付き包装体１は、円筒状胴部２１を有する被着体２と、被着体２の円筒状胴部２１に巻き付けられた厚肉ラベルと、を備え、巻き付けられた厚肉ラベル３の第１側縁３Ａと第２側縁３Ｂの間に隙間９が設けられており、円筒状胴部２１の中心軸Ｏ方向から見たときの厚肉ラベル３の外面の輪郭が円形である。ただし、被着体２の胴部２１は、円筒状に限定されるものではない。
以下、各種実施形態を挙げて具体的に説明する。
本明細書において、用語の接頭語として第１及び第２を付しているが、この接頭語は、用語を区別するためのものであり、その優劣や順序などを意味しない。また、各図における基材などの厚みは、実際のものとは異なっていることに留意されたい。
【００１５】
＜第１実施形態＞
［被着体］
被着体２は、筒状胴部を有する。
本発明で用いられる被着体２の筒状胴部の形状は、水平断面における外形が円形である筒状、楕円筒状、又は、多角筒状（六角柱状のような６角以上の多角筒状など）などが挙げられる。被着体２の筒状胴部は、円滑に回転し易いことから、水平断面における外形が円形である筒状が好ましい。
前記水平断面における外形が円形である筒状は、胴部を、その中心軸Ｏを法線とする平面で切り取ったときの外形が円形である筒状を意味する。このような水平断面における外形が円形である筒状胴部の具体例としては、真円筒状、円錐台筒状などが挙げられる。
本実施形態では、筒状胴部が真円筒状である被着体２を例示している。本明細書において、真円筒状の筒状胴部を「円筒状胴部」という。
【００１６】
図示したように、円筒状胴部２１を有する被着体２は、円筒状胴部２１の中心軸Ｏ方向から見たときの外形の輪郭が円形である（被着体２の外形の輪郭は、円筒状胴部２１の外面形状に等しい）。すなわち、被着体２は、それを平坦面上に横に寝かし（円筒状胴部２１の中心軸Ｏが平坦面と平行になるように被着体２を平坦面上に置き）且つその被着体２を押したときに、円筒状胴部２１の外周面を転動面として、円筒状胴部２１の中心軸Ｏ周りに円滑に回転しながら移動可能なものである。もっとも、円錐台筒状の筒状胴部も、前記円筒状胴部２１と同様に、中心軸Ｏ周りに円滑に回転しながら移動可能である。
なお、前記円筒状胴部２１の中心軸Ｏとは、その円の中心を通り且つその筒の縦方向に延びる軸である。円筒状胴部以外の形状の筒状胴部の中心軸は、その水平断面の重心を通り且つその筒の縦方向に延びる軸である。
【００１７】
円筒状胴部２１の半径は特に限定されないが、余りに小径な円筒状胴部２１に対しては厚肉ラベル３を巻き付けることが困難となる場合もあり、一方、余りに大径な円筒状胴部２１に対しては厚肉ラベル３を巻き付けても上記問題点が生じ得ないかもしれない。このような点を考慮すると、円筒状胴部２１の直径は、０．５ｃｍ〜１０ｃｍが好ましく、１ｃｍ〜５ｃｍがより好ましい。
【００１８】
被着体２は、上記のような円筒状胴部２１を有しているものであれば特に限定されない。
被着体２としては、例えば、バイアル瓶、アンプルなどの医療用容器；ジャムなどの食品を入れる食品用容器；飲料用容器などの各種容器が挙げられる。また、被着体２は、容器以外にも、例えば、極太油性ペンのような円筒状に形成された商品そのものでもよい。
被着体２の材質は特に限定されず、ガラス製、陶器製、合成樹脂製、金属製などの被着体２が挙げられる。中でも、円筒状胴部２１がガラス製又は陶器製である被着体２が用いられる。
また、被着体２が容器である場合には、透明又は非透明でもよいが、収納物を外部から視認できることから、透明な容器が好ましい。
本実施形態では、図１及び図２に示すように、被着体２としてアンプルを図示している。
【００１９】
［厚肉ラベル３］
前記厚肉ラベル３は、図４及び図５にも示すように、ラベル基材３１と、そのラベル基材３１の内面に設けられた粘着剤層３２と、を有する。
ラベル基材３１は、厚肉であれば特に限定されない。厚肉のラベル基材３１の厚みは、例えば、１００μｍ〜３ｍｍであり、好ましくは３００μｍ〜２ｍｍである。ラベル基材３１の厚みが余りに薄い場合には、上記問題点が生じ得ないかもしれず、一方、ラベル基材３１の厚みが余りに厚いと、巻付け作業などのラベルの取扱性が悪くなる。
厚肉ラベル３は巻き付けて装着されるため、被着体２の円筒状胴部２１の曲面に沿って湾曲するような柔軟性を有するラベル基材３１が用いられる。
【００２０】
前記ラベル基材３１の材質は特に限定されず、発泡樹脂シート、合成樹脂製シート（例えば、ポリエチレンやポリプロピレンなどのオレフィン系シートなど）、不織布、フェルト、又はこれらから選ばれる少なくとも１種を含む積層体などが挙げられる。緩衝性及び断熱性を有し且つ比較的厚くても柔軟性を有するので、ラベル基材３１としては、発泡樹脂シート、不織布又はこれらから選ばれる少なくとも１種を含む積層体が好ましい。このような緩衝性を有するラベル基材３１を有する厚肉ラベル３は、ガラス製又は陶器製のような破損し易い円筒状胴部２１を有する被着体２に巻き付けるラベルとして好適である。
さらに、前記ラベル基材３１としては、加工性の点から、発泡樹脂シート、不織布又はこれらの少なくともいずれか一方を含む積層体がより好ましい。
特に、比較的厚肉に形成でき、安価で且つ加工性に優れることから、ラベル基材３１としては、発泡樹脂シート又はこれを含む積層体が特に好ましい。
【００２１】
前記発泡樹脂シートの材質は特に限定されず、例えば、ポリスチレンなどのスチレン系樹脂；ポリエチレン、ポリプロピレンなどのオレフィン系樹脂；ウレタン系樹脂；ポリエチレンテレフタレートなどのエステル系樹脂；塩化ビニル系樹脂などの熱可塑性樹脂から選ばれる１種、又は２種以上の混合物などが挙げられる。これらの樹脂には、必要に応じて、各種フィラー、着色剤、可塑剤、安定剤などの添加剤を適宜添加することができる。
発泡樹脂シートは、物理的発泡、化学的発泡などの公知の発泡方法で作製されたものを用いることができる。
【００２２】
発泡樹脂シートの発泡倍率は、優れた緩衝性及び断熱性と適度な柔軟性及び保形性とを具有させるために、好ましくは２倍〜４０倍であり、より好ましくは３倍〜３０倍であり、特に好ましくは５倍〜２０倍である。
発泡樹脂シートの厚みは、優れた緩衝性及び断熱性と適度な柔軟性及び保形性とを有するため、５００μｍ〜２ｍｍが好ましい。
【００２３】
ラベル基材３１には、必要に応じて、外部から視認できるデザインが表示されていてもよい（ただし、デザインの表示は図示しない）。例えば、ラベル基材３１の外面にデザイン印刷層を設けることにより、外部からデザインが見えるようになる。なお、発泡樹脂シートや不織布などのように、直接印刷を施し難いラベル基材３１に対しては、その外面にスキン層を形成してそのスキン層に印刷を施す、或いは、印刷を施した薄いフィルムをラベル基材３１の外面に積層することにより、前記デザインを表示できる。
【００２４】
粘着剤層３２は、前記ラベル基材３１の内面に粘着剤を塗布することによって設けられている。この粘着剤層３２は、ラベル基材３１の内面全体に設けられている。例えば、ラベル基材３１の内面全体に粘着剤をベタ状に塗布する、又は、ラベル基材３１の内面全体に粘着剤を網目状若しくは無数のドット状に塗布することによって、ラベル基材３１の内面全体に粘着剤層３２を設けることができる。
【００２５】
前記粘着剤としては、感圧型粘着剤が好ましいが、感熱型粘着剤を用いることもできる。なお、感圧型粘着剤は、室温で粘着力を有し且つその粘着力が長期間持続している粘着剤であり、従来公知のタックラベルで広く使用されているものである。感熱型粘着剤は、室温で粘着性を示さず、加熱することにより粘着力を発揮し且つその粘着力が長期間持続する粘着剤である。
粘着剤層３２の厚みは特に限定されないが、通常、１０μｍ〜３０μｍである。
ラベル基材３１と粘着剤層３２の積層体からなる厚肉ラベル３の厚みは、ラベル基材３１の厚みと粘着剤層３２の厚みの合計である。
【００２６】
厚肉ラベル３の平面視形状は、正方形及び長方形ではない。厚肉ラベル３は、横方向に延びる上下一対の上縁３Ｃ及び下縁３Ｄと、横方向第１側にある縦方向に延びる側縁３Ａと、厚肉ラベル３の横方向第２側にある縦方向に延びる側縁３Ｂと、を有する。
前記厚肉ラベル３の横方向第１側にある縦方向に延びる側縁３Ａが、第１側縁３Ａであり、厚肉ラベル３の横方向第２側にある縦方向に延びる側縁３Ｂが、第２側縁３Ｂである。前記第１側縁３Ａ及び第２側縁３Ｂは、厚肉ラベル３の縦方向と平行に延びていない。前記第１側縁３Ａ及び第２側縁３Ｂは、その全体が縦方向と非平行に延びているか、或いは、その一部分に縦方向と非平行な縁を含んでいる。また、厚肉ラベル３の横方向に延びる上縁３Ｃ及び下縁３Ｄは、通常、厚肉ラベル３の横方向と平行であることが好ましい。なお、この上縁３Ｃ及び下縁３Ｄの「上」及び「下」は、装着体の上下の向きに対応しているわけではないことに留意されたい。
【００２７】
厚肉ラベル３の平面視形状は、円筒状胴部２１の周長との関係を考慮して適宜設計できる。
すなわち、本発明の厚肉ラベル３の横方向の長さと円筒状胴部２１の周長は、下記関係１及び関係２を満たしている。
関係１：厚肉ラベル３の横方向の長さ＜円筒状胴部２１の周長
関係２：厚肉ラベル３の横方向の長さ＋巻付け時の隙間９の幅＝円筒状胴部２１の周長
【００２８】
ただし、前記厚肉ラベル３の横方向は、厚肉ラベル３が円筒状胴部２１に巻き付けられたときに（巻付け時）、円筒状胴部２１の周方向となる方向である。
前記厚肉ラベル３の縦方向は、厚肉ラベル３の面内において前記横方向と直交する方向である。
前記厚肉ラベル３の横方向の長さは、厚肉ラベル３を任意の箇所で横方向に切断したときのその切断面の横方向の長さを意味する。
前記円筒状胴部２１の周長は、その円周を意味する。
円筒状胴部以外の形状の筒状胴部の周長は、任意の箇所で切断した水平断面における外形の長さを意味する。
前記巻付け時の隙間９の幅は、下記の通りである。
【００２９】
本実施形態の厚肉ラベル３の平面視形状は、図４に示すように、平行四辺形である。
なお、図４は、被着体２に巻き付ける前の厚肉ラベル３を平坦状にした状態で示した平面図である。
【００３０】
また、前記平行四辺形の厚肉ラベル３の縦方向の長さ（上縁３Ｃと下縁３Ｄ間の直線の長さ）は、円筒状胴部２１の縦方向の長さと同じ又はそれよりも短いことが好ましい。厚肉ラベル３の縦方向の長さが、円筒状胴部２１の縦方向の長さと同じ又はそれよりも長いと、巻付け時、厚肉ラベル３の一部分が円筒状胴部２１に接着しないからである。
厚肉ラベル３の縦方向の長さが円筒状胴部２１の縦方向の長さよりも短い場合、厚肉ラベル３の縦方向の長さは、円筒状胴部２１の縦方向の長さの０．７倍以上であることが好ましい。
【００３１】
［ラベル付き包装体］
本発明のラベル付き包装体１は、前記厚肉ラベル３の横方向が円筒状胴部２１の周方向となるように、厚肉ラベル３を円筒状胴部２１の周囲に巻付け、その粘着剤層３２を介して厚肉ラベル３を円筒状胴部２１の外面に接着することにより得られる。厚肉ラベル３の横方向が円筒状胴部２１の周方向となるように厚肉ラベル３を巻き付けるとは、円筒状胴部２１の中心軸Ｏと直交する面内に厚肉ラベル３の横方向を一致させて厚肉ラベル３を巻き付けることである。
【００３２】
前記厚肉ラベル３は平行四辺形のラベル基材３１が前記関係１を満たしているので、巻き付け時、厚肉ラベル３の第１側縁３Ａと第２側縁３Ｂは重なったり或いは突き合うことはなく、図１に示すように、厚肉ラベル３の第１側縁３Ａと第２側縁３Ｂの間に隙間９が空く。
本実施形態のように平行四辺形の厚肉ラベル３にあっては、その第１側縁３Ａ及び第２側縁３Ｂは、それぞれ厚肉ラベル３の縦方向に対して傾斜して延びており、平行四辺形の厚肉ラベル３の第１側縁３Ａ及び第２側縁３Ｂは、互いに平行である。このため、前記隙間９は、円筒状胴部２１の縦方向に延びる同幅の帯状であり、その縦方向に対して傾斜している。
【００３３】
前記ラベル付き包装体１は、巻き付けられた厚肉ラベル３の第１側縁３Ａが円筒状胴部２１の周方向一方側Ｘへ最も偏っている第１偏り縁部３ＡＸを有し且つ前記厚肉ベル３の第２側縁３Ｂが前記円筒状胴部２１の周方向他方側Ｙへ最も偏った第２偏り縁部３ＢＹを有する。
この第１偏り縁部３ＡＸは、被着体２に巻き付ける前の厚肉ラベル３における横方向第１側において最も外側にある部分に相当し、第２偏り縁部３ＢＹは、被着体２に巻き付ける前の厚肉ラベル３における横方向第２側において最も外側にある部分に相当する。
そして、前記ラベル付き包装体１は、円筒状胴部２１に巻き付けられた厚肉ラベル３の前記第１偏り縁部３ＡＸ上を通り且つ円筒状胴部２１の外面における縦方向と平行な仮想縦線Ｔを引いたときに、前記第２偏り縁部３ＢＹが、前記仮想縦線Ｔ上に位置している又は仮想縦線Ｔよりも周方向他方側Ｙに位置している。
【００３４】
円筒状胴部２１においては、その外面における縦方向は、円筒状胴部２１の中心軸Ｏと平行である。円筒状胴部以外の形状の筒状胴部のうち、直胴状の筒状胴部（任意の箇所で切断した水平断面が同一形状である筒状胴部）は、その外面における縦方向がその中心軸と平行であるが、円錐台筒状の筒状胴部においては、その外面における縦方向は、その中心軸と非平行である、即ち、その中心軸に対して傾斜している。
なお、図１は、円筒状胴部２１に巻き付けられた厚肉ラベル３の第２偏り縁部３ＢＹが、第１偏り縁部３ＡＸを通る仮想縦線Ｔよりも周方向他方側Ｙに位置する場合を図示している。
【００３５】
かかるラベル付き包装体１を円筒状胴部２１の中心軸Ｏ方向から見たとき、図２に示すように、前記厚肉ラベル３の外面の輪郭は円形である。
つまり、円筒状胴部２１の外面において任意の位置で仮想縦線Ｔを引いたとき、その周方向のいずれの位置においても仮想縦線Ｔが厚肉ラベル３に交差している。このように厚肉ラベル３が巻付けられているので、被着体２の破損を効果的に防止できる。
【００３６】
前記隙間９の幅は特に限定されないが、それが余りに短いと、基材の伸びや巻きずれによりラベルの側部が重なるおそれがあり、一方、それが余りに長いと、円筒状胴部２１の外面における厚肉ラベル３の占める面積が小さくなりすぎる。
このような点から、前記隙間９の幅は、３ｍｍ〜１０ｍｍが好ましく、３ｍｍ〜５ｍｍがより好ましい。
なお、前記隙間９の幅は、巻き付けられた厚肉ラベル３の第１側縁３Ａと第２側縁３Ｂとの間における周方向と平行な直線の長さをいう。前記巻き付けられた厚肉ラベル３の第１側縁３Ａと第２側縁３Ｂとの間における周方向と平行な直線の長さが縦方向において異なる場合には、前記隙間９の幅は、そのうちの最小の長さを意味する。
【００３７】
上記厚肉ラベル３は、隙間９を空けて巻付け可能に設計されているので、その巻付け時に基材の伸びや巻きずれを生じても、ラベルの側部が重なることなく円筒状胴部２１に巻き付けることができる。
また、上記ラベル付き包装体１は、厚肉ラベル３が隙間９を空けて巻き付けられているので、その隙間９から透明な円筒状胴部２１に収納された収納物を視認することもできる。
【００３８】
上記ラベル付き包装体１は、円筒状胴部２１の中心軸Ｏ方向から見たときの厚肉ラベル３の外面の輪郭が円形である。かかるラベル付き包装体１は、それを平坦面上に横に寝かした状態で、その円筒状胴部２１の中心軸Ｏ周りに円滑に回転しながら移動し得る。
本発明のラベル付き包装体１によれば、例えば、生産ラインの搬送コンベアにおいてそれを横に寝かせた状態で円滑に転動させることができ、又、同様に、搬送コンベアにおいてその底面を下にした状態で中心軸Ｏ周りに円滑に回転させながら搬送できる。
さらに、上記ラベル付き包装体１は、厚肉ラベル３の上から円筒状胴部２１を握ったときに、手の平やその他の物などが隙間９から露出する円筒状胴部２１の外面に接触し難く、このため、手触り感も良好である。加えて、持ち手が円筒状胴部２１の外面に接触し難いので、持ち手に被着体２の温度や硬さが伝わり難く、断熱性及び緩衝性を有する厚肉ラベル３を被着体２に巻き付けた効果を十分に発揮できる。
【００３９】
＜第１実施形態の変形例＞
上記第１実施形態における厚肉ラベル３は、平面視平行四辺形であったが、本発明の厚肉ラベル３は、平行四辺形に限られず、下記変形例に示すように、本発明の意図する範囲で様々に変更できる。
【００４０】
図６（ａ）の厚肉ラベル３は、横方向に延びる上下一対の上縁３Ｃ及び下縁３Ｄと、縦方向中途部において横方向第１側へ突出した凸形状を有する第１側縁３Ａと、縦方向中途部において横方向第１側へ凹んだ凹形状を有する第２側縁３Ｂと、を有する。この第１側縁３Ａ及び第２側縁３Ｂの形状は、同図（ａ）のように、横方向に平行移動したときに重なる、同一形状であることが好ましい。なお、この第１側縁３Ａ及び第２側縁３Ｂは、略くの字状であるが、弧状などでもよい。
【００４１】
この厚肉ラベル３は、上記関係１及び関係２を満たしている。かかる厚肉ラベル３を円筒状胴部２１に巻き付けると、同図（ｂ）に示すように、厚肉ラベル３の第１側縁３Ａと第２側縁３Ｂの間に隙間９を有し、厚肉ラベル３の第２偏り縁部３ＢＹが、第１偏り縁部３ＡＸ上を通る仮想縦線Ｔ上に位置している又は仮想縦線Ｔよりも周方向他方側に位置したラベル付き包装体１が得られる。かかるラベル付き包装体１は、同図（ｃ）に示すように、円筒状胴部２１の中心軸Ｏ方向から見たとき、厚肉ラベル３の外面の輪郭が円形である。
【００４２】
図７（ａ）の厚肉ラベル３は、横方向に延びる上下一対の上縁３Ｃ及び下縁３Ｄと、縦方向中途部において横方向第１側へ突出した凸形状を複数有する第１側縁３Ａと、縦方向中途部において横方向第１側へ凹んだ凹形状を複数有する第２側縁３Ｂと、を有する。この第１側縁３Ａ及び第２側縁３Ｂの形状は、同図（ａ）のように、横方向に平行移動したときに重なる、同一形状であることが好ましい。なお、この第１側縁３Ａ及び第２側縁３Ｂは、略鋸刃状であるが、略波状などでもよい。
【００４３】
この厚肉ラベル３は、上記関係１及び関係２を満たしている。かかる厚肉ラベル３を円筒状胴部２１に巻き付けると、同図（ｂ）に示すように、厚肉ラベル３の第１側縁３Ａと第２側縁３Ｂの間に隙間９を有し、厚肉ラベル３の第２偏り縁部３ＢＹが、第１偏り縁部３ＡＸ上を通る仮想縦線Ｔ上に位置している又は仮想縦線Ｔよりも周方向他方側に位置したラベル付き包装体１が得られる。かかるラベル付き包装体１は、同図（ｃ）に示すように、円筒状胴部２１の中心軸Ｏ方向から見たとき、厚肉ラベル３の外面の輪郭が円形である。
【００４４】
図８（ａ）の厚肉ラベル３は、横方向に延びる上下一対の上縁３Ｃ及び下縁３Ｄと、縦方向上方部において横方向第１側へ突出した凸形状を有する第１側縁３Ａと、縦方向下方部において横方向第２側へ突出し且つ前記第１側縁３Ａの凸形状の縦長さよりも短い凸形状を有する第２側縁３Ｂと、を有する。この第１側縁３Ａ及び第２側縁３Ｂの形状は、回転対称形に形成することもできる。
【００４５】
この厚肉ラベル３は、上記関係１及び関係２を満たしている。かかる厚肉ラベル３を円筒状胴部２１に巻き付けると、同図（ｂ）に示すように、厚肉ラベル３の第１側縁３Ａと第２側縁３Ｂの間に隙間９を有し、厚肉ラベル３の第２偏り縁部３ＢＹが、第１偏り縁部３ＡＸ上を通る仮想縦線Ｔ上に位置している又は仮想縦線Ｔよりも周方向他方側に位置したラベル付き包装体１が得られる。かかるラベル付き包装体１は、同図（ｃ）に示すように、円筒状胴部２１の中心軸Ｏ方向から見たとき、厚肉ラベル３の外面の輪郭が円形である。
【００４６】
また、上記第１実施形態のラベル付き包装体１は、その隙間９の幅が縦方向において同じであるが、厚肉ラベル３の形状によっては、隙間９の幅が縦方向において異なるラベル付き包装体１を構成することもできる。
【００４７】
＜第２実施形態＞
第２実施形態は、上記第１実施形態（変形例を含む）の厚肉ラベルの外面に薄肉フィルムが設けられているラベル付き包装体に関する。
以下、第２実施形態の厚肉ラベル及びラベル付き包装体について説明するが、上記第１実施形態と異なる部分について主として説明し、同様の構成についてはその説明を省略し、用語及び図番を援用することがある。
【００４８】
図９及び図１０に示すように、厚肉ラベル３の外面には、薄肉フィルム５が設けられている。
薄肉フィルム５は、厚肉ラベル３よりも薄いフィルムである。薄肉フィルム５の厚みは、例えば、１０μｍ〜６０μｍであり、好ましくは１０μｍ〜５０ｍｍである。１０μｍ未満のフィルムは取扱性が悪く、一方、６０μｍを超えると、巻き付けられた厚肉ラベル３の外面に比較的大きな段差が生じ、ラベル付き包装体１が円滑に転動しなくなるおそれがある。
【００４９】
薄肉フィルム５の材質は特に限定されず、合成樹脂フィルム、合成紙、紙などが挙げられる。薄肉フィルム５は、透明又は非透明でもよい。隙間９から収納物を視認できるようにするため、延出片５１のうち少なくとも隙間９を覆う部分の全部又は一部が透明であるような薄肉フィルム５が好ましく、全体が透明である薄肉フィルム５（例えば、透明な合成樹脂フィルム）がより好ましい。
【００５０】
薄肉フィルム５には、必要に応じて、外部から視認できるデザインが表示される。ラベル基材３１にデザインが表示されている場合には、全体が透明な薄肉フィルム５を用いることによって、ラベル基材３１のデザインを外部から透視できるので、当該薄肉フィルム５にデザインを表示しなくてもよい。
ただし、薄肉フィルム５にデザインを表示する場合には、隙間９を覆っている部分の全部又は一部は、収納物を視認できるようにするため、デザインを表示しないことが好ましい。
【００５１】
薄肉フィルム５の内面には、粘着剤層５３が設けられている。ラベル基材３１の内面に設けられた粘着剤層３２と区別するため、以下、ラベル基材３１の粘着剤層３２を第１粘着剤層といい、薄肉フィルム５の内面に設けられた粘着剤層５３を第２粘着剤層という。
この第２粘着剤層５３は、粘着剤を用いて形成できる。第２粘着剤層５３の粘着剤は、第１粘着剤層３２で例示したような粘着剤を用いることができる。
第２粘着剤層５３を介して、薄肉フィルム５は、厚肉ラベル３の外面に接着されている。
【００５２】
前記薄肉フィルム５の一方の側部は、厚肉ラベル３の第１側縁３Ａから外側へ延出されている。従って、厚肉ラベル３の横方向第１側においては、薄肉フィルム５からなる延出片５１が延出されている。この延出片５１は、第２粘着剤層５３を有する薄肉フィルム５であって、厚肉ラベル３の第１側縁３Ａから横方向第１側からはみだしている部分である。
この延出片５１の横方向の長さ（延出長さ）は、巻付け時に延出片５１の端部を厚肉ラベル３の第２側縁３Ｂを越えて第２側部に接着するため、隙間９の幅よりも長い。
【００５３】
なお、図示例では、延出片５１を除く、薄肉フィルム５の残部は、厚肉ラベル３の外面全体を被覆する大きさに形成され且つその外面全体に接着されているが、前記薄肉フィルム５の残部（延出片５１を除いた薄肉フィルム５）は、厚肉ラベル３の外面よりも小さくてもよい。その残部は、延出片５１を厚肉ラベル３に連結する部分なので、延出片５１が厚肉ラベル３から取れない程度に適宜設計できる。もっとも、厚肉ラベル３と薄肉フィルム５を積層し易いので、薄肉フィルム５の残部は、厚肉ラベル３の外面全体に接着されていることが好ましい。
【００５４】
かかる薄肉フィルム５が設けられた厚肉ラベル３も、上記第１実施形態と同様に円筒状胴部２１の周囲に巻き付けられ、巻き付けた厚肉ラベル３の第１側縁３Ａと第２側縁３Ｂの間には隙間９が生じる。そして、前記第１側縁３Ａから延出された延出片５１を、その隙間９を覆うように巻付け、さらに、その延出片５１の端部を、厚肉ラベル３の第２側縁３Ｂを越えて第２側部の外面に接着することにより、図１１及び図１２に示すようなラベル付き包装体１が得られる。
得られたラベル付き包装体１は、巻き付けられた厚肉ラベル３の隙間９を延出片５１が覆い、この延出片５１の端部は、巻き付けられた厚肉ラベル３の第２側部の外面に接着されている。
【００５５】
本実施形態のラベル付き包装体１は、隙間９が延出片５１で覆われているので、その隙間９から円筒状胴部２１の外面が露出していない。このため、ラベル付き包装体１の搬送中に、前記隙間９に異物が当たっても、その異物は直接円筒状胴部２１に当たらず、円筒状胴部２１への衝撃を緩和できる。特に、図示したように、延出片５１の、隙間９を覆っている部分（すなわち、隙間９に対応する延出片５１の一部分）が、円筒状胴部２１の外面から離反しているので（すなわち、円筒状胴部２１の外面、延出片５１、及び厚肉ラベル３の第１側縁３Ａと第２側縁３Ｂによって囲われるスペース９１が空洞であるので）、前記円筒状胴部２１への衝撃を良好に緩和できる。
また、前記スペース９１に空気層があるので、断熱効果にも優れている。
【００５６】
また、本実施形態のラベル付き包装体１は、延出片５１のうち、少なくとも隙間９を覆っている部分の全部又は一部が透明であるので、その部分を通じて、隙間９から透明な円筒状胴部２１に収納された収納物を視認することもできる。
ところで、前記延出片５１の縁は、薄肉フィルム５の厚み相当分だけ厚肉ラベル３の外面から突出しているが、この延出片５１（薄肉フィルム５）の厚みは非常に薄い。このため、本実施形態のラベル付き包装体１も、それを平坦面上に横に寝かした状態で、その円筒状胴部２１の中心軸Ｏ周りに円滑に回転しながら移動し得る。また、巻付けラベル３の外面に前記薄肉フィルム５の厚み相当分の段差が生じるが、このような比較的小さい段差は、円筒状胴部２を手で握ったときの感触を悪化させるものでもない。
【００５７】
なお、前記ラベル付き包装体１においては、延出片５１の内面全体に第２粘着剤層５３が設けられているが、延出片５１の内面のうち隙間９を覆っている部分を、円筒状胴部２１に対して接着不能としてもよい。延出片５１の、隙間９を覆っている部分を接着不能にすることにより、前記延出片５１の、隙間９を覆っている部分が、円筒状胴部２１の外面に不用意に接着することはない。このため、延出片５１の、隙間９を覆っている部分を、円筒状胴部２１から確実に離反させて前記空洞を確保できる。
延出片５１の、隙間９を覆っている部分を、円筒状胴部２１に対して接着不能とする方法としては、その部分に第２粘着剤層５３を設けない方法、或いは、その部分にも第２粘着剤層５３を設け且つその部分に対応した第２粘着剤層５３の粘着力を隠蔽するためのマスキング層を設ける方法などが挙げられる。そのマスキング層の形成方法としては、例えば、隙間９に対応する第２粘着剤層５３の面に、紫外線硬化型インキを塗工することなどが挙げられる。
【００５８】
第２実施形態で説明した薄肉フィルム５は、平面視平行四辺形の厚肉ラベル３のみに適用されるわけではなく、上記第１実施形態の変形例で示したような厚肉ラベル３にも適用できる。
【符号の説明】
【００５９】
１…ラベル付き包装体、２…被着体、２１…被着体の円筒状胴部、３…厚肉ラベル、３Ａ…厚肉ラベルの第１側縁、３Ｂ…厚肉ラベルの第２側縁、３ＡＸ…厚肉ラベルの第１偏り縁部、３ＢＹ…厚肉ラベルの第２偏り縁部、３１…ラベル基材、３２…粘着剤層、５…薄肉フィルム、５１…延出片、９…隙間、Ｏ…円筒状胴部の中心軸、Ｔ…仮想縦線、Ｘ…円筒状胴部の周方向一方側、Ｙ…円筒状胴部の周方向他方側
【図１】
2012201403.tif 000003
【図２】
2012201403.tif 000004
【図３】
2012201403.tif 000005
【図４】
2012201403.tif 000006
【図５】
2012201403.tif 000007
【図６】
2012201403.tif 000008
【図７】
2012201403.tif 000009
【図８】
2012201403.tif 000010
【図９】
2012201403.tif 000011
【図１０】
2012201403.tif 000012
【図１１】
2012201403.tif 000013
【図１２】
2012201403.tif 000014
【図１３】
2012201403.tif 000015